(57)【要約】【課題】飲料缶の上部に取付可能であって且つ物品を収納することができる収納容器であって、収納容器の内部に収納された景品を目視可能とすると共に、収納容器内に背景画が表示された背景板を備えることによってジオラマ模型の如く展示可能とする趣向の高い収納容器を提供する【解決手段】台座部と、カバー部と、背景板とで構成され、前記台座部は、円形の上面板及びその上面板の周縁から垂下する枠部を有する景品載置部と、前記景品載置部の下方に位置する円形枠とされた装着部とを備え、前記カバー部は、前記台座部の景品載置部に嵌合装着される透明な樹脂素材で円筒形状に形成されて底面に開口を有して内部を収納空間とすると共に、内側壁面に前記背景板を取り付ける背景板取付部を備え、湾曲可能な薄板に形成されて背景画が表示された背景板とを備えた。【選択図】図１
0003129318.tif 000002
【実用新案登録請求の範囲】
【請求項１】
台座部と、カバー部と、背景板とで構成され、前記台座部は、円形の上面板及びその上面板の周縁から垂下する枠部を有する景品載置部と、前記景品載置部の下方に位置する円形枠とされた装着部とを備え、前記カバー部は、前記台座部の景品載置部に嵌合装着される透明な樹脂素材で円筒形状に形成されて底面に開口を有して内部を収納空間とすると共に、内側壁面に前記背景板を取り付ける背景板取付部を備え、湾曲可能な薄板に形成されて背景画が表示された背景板を前記背景板取付部に取付可能としたことを特徴とした収納容器。
【請求項２】
請求項１において、前記景品載置部の上面板の周縁に、前記背景板取付部と係合する方形状の切欠となる切欠部が形成されていることを特徴とした収納容器。
【請求項３】
請求項１又は２において、前記景品載置部の中央に、鉤状に形成された２つの凸部を相反するように向けて形成した物品取付部を有し、２つの凸部の軸線が前記背景板取付部の中央を外す方向とされていることを特徴とした収納容器。
【考案の詳細な説明】
【技術分野】
【０００１】
本考案は、飲料缶の上部に取付可能であって、且つ、物品を収納することができる収納容器に関するものである。
【背景技術】
【０００２】
近年、飲料の販売促進の為、飲料缶やペットボトルに複数種類の景品から何れか１つを装着した飲料が多数販売されている。例えば、特開２００４−９９１３０号公報「飲料缶に取着する景品収容容器」の如く、飲料缶の上部に装着する容器について提案がなされている。尚、この提案においては、容器の内部を外部から確認できないようにされているものである。このことから需要者には、複数種類の景品の何れかが入っているか分からないことから、所望する景品を得る為に、無作為に購入しなくてはならないものであった。
【０００３】
また、従来の景品を収納する収納容器は、容器の内部を外部から確認できないようにされている為に、この収容容器を二次的に利用することは難しかった。
【特許文献１】特開２００４−９９１３０号公報
【考案の開示】
【考案が解決しようとする課題】
【０００４】
そこで、本考案は、上記従来技術の問題点に斯かる実情に鑑みなされたもので、飲料缶の上部に取付可能であって且つ物品を収納することができる収納容器であって、収納容器の内部に収納された景品を目視可能とすると共に、収納容器内に背景画が表示された背景板を備えることによってジオラマ模型の如く展示可能とする趣向の高い収納容器を提供することを課題とする。
【課題を解決するための手段】
【０００５】
請求項１に記載の考案は、台座部と、カバー部と、背景板とで構成され、前記台座部は、円形の上面板及びその上面板の周縁から垂下する枠部を有する景品載置部と、前記景品載置部の下方に位置する円形枠とされた装着部とを備え、前記カバー部は、前記台座部の景品載置部に嵌合装着される透明な樹脂素材で円筒形状に形成されて底面に開口を有して内部を収納空間とすると共に、内側壁面に前記背景板を取り付ける背景板取付部を備え、湾曲可能な薄板に形成されて背景画が表示された背景板を前記背景板取付部に取付可能としたことを特徴とする。
【０００６】
請求項２に記載の考案は、請求項１において、前記景品載置部の上面板の周縁に、前記背景板取付部と係合する方形状の切欠となる切欠部が形成されていることを特徴とする。
【０００７】
請求項３に記載の考案は、請求項１又は２において、前記景品載置部の中央に、鉤状に形成された２つの凸部を相反するように向けて形成した物品取付部を有し、２つの凸部の軸線が前記背景板取付部の中央を外す方向とされていることを特徴とする。
【考案の効果】
【０００８】
請求項１の考案によれば、台座部と、カバー部と、背景板とで構成され、前記台座部は、円形の上面板及びその上面板の周縁から垂下する枠部を有する景品載置部と、前記景品載置部の下方に位置する円形枠とされた装着部とを備え、前記カバー部は、前記台座部の景品載置部に嵌合装着される透明な樹脂素材で円筒形状に形成されて底面に開口を有して内部を収納空間とすると共に、内側壁面に前記背景板を取り付ける背景板取付部を備え、湾曲可能な薄板に形成されて背景画が表示された背景板を取付可能とすることによって、収納容器の内部に収納された景品を目視可能とすると共に、ジオラマ模型の如く展示可能とする趣向の高い収納容器を提供することができる。
【０００９】
請求項２の考案によれば、前記景品載置部の上面板の周縁に、前記背景板取付部と係合する方形状の切欠となる切欠部を備えることによって、台座部に対して、常に所定の向きにカバー部を嵌合装着することができるものである。
【００１０】
請求項３の考案によれば、前記景品載置部の中央に、鉤状に形成された２つの凸部を相反するように向けて形成した物品取付部を備え、該物品取付部に景品を固定することによって、該収納容器や該収納容器を飲料缶に装着した後に運搬する際に、収納された景品が破損しないようにすることができると共に、台座部に対して、常に所定の向きに向けて景品を固定することも可能とするものである。
【考案を実施するための最良の形態】
【００１１】
台座部と、カバー部と、背景板とで構成され、前記台座部は、円形の上面板及びその上面板の周縁から垂下する枠部を有する景品載置部と、前記景品載置部の下方に位置する円形枠とされた装着部とを備え、前記カバー部は、前記台座部の景品載置部に嵌合装着される透明な樹脂素材で円形の天板及び該天板の周縁から垂下するように円筒形状に形成され、底面は開口とされて内部を収納空間とすると共に、内側壁面に前記背景板を取り付ける背景板取付部を備え、湾曲可能な薄板に形成されて背景画が表示された背景板を取付可能としている。
【００１２】
また、前記景品載置部の上面板の周縁に、前記背景板取付部と係合する方形状の切欠となる切欠部と、前記景品載置部の中央に、鉤状に形成された２つの凸部を相反するように向けて形成した物品取付部とを備えることもある。
【実施例１】
【００１３】
以下、図面を参照して本考案に係る収納容器の一実施例を詳細に説明する。まず、収納容器の上面側からの分解斜視図となる図１と、裏面側からの分解斜視図面となる図２とを用い収納容器の説明をする。収納容器１０は、物品を載置固定する台座部１２と、背景画が表示された背景板３８と、台座部１２の上方を覆い物品を収納する収納空間を透明な樹脂素材で形成したカバー部３２で構成されている。この収納容器１０は、飲料缶の上部に着脱自在とされている。
【００１４】
カバー部３２は、透明な樹脂素材で底部が開口した厚肉円筒状に形成され、カバー部３２の上端面と円筒側面の肉厚は略同じ厚さに形成されている。また、カバー部３２の下端内側に、半円環状に膨出した係合突起３６が形成されている。そして、カバー部３２における円筒側面の内側には、所定の位置の二箇所に、カバー部３２内側の上端近傍から下端にかけて線条に膨出し、その線条に膨出した上端から下端近傍の先端までがＬ字形となるようにカバー部３２の内壁と平行に膨出させ、各々Ｌ字の開口側を対向させて形成された背景板取付部３４が形成されている。また、この背景板取付部３４の下端部分は、後述する台座部１２の景品載置部１４に形成される切欠部４４と嵌合するものである。
【００１５】
そして、カバー部３２における上端面の周縁となる角部を丸く形成し、上端面や円筒側面と同じ肉厚となる厚さとなるように形成することによって、そのカバー部３２内となる収納空間の視認性を向上させている。
【００１６】
また、背景板３８は、紙や樹脂素材で方形状の薄板に形成され、湾曲可能とされている。また、背景板３８の表面には、背景画となる絵や、収容する物品を示唆や連想する文字や、飲料を販売促進させるキャッチコピーなどが表示されている。また、他方の側面にも、同様に絵や文字やキャッチコピーなどを表示しても構わないものである。この背景板３８は、上述したカバー部３２の内側に位置する背景板取付部３４に、所望の背景画が内側に表示されるように挟持され取付られるものである。この実施例の背景板３８は、１つの背景板３８を例としたものであるが、例えば、複数の背景板３８を備え、それぞれ異なる背景画や文字やキャッチコピーを表示することによって、収納容器１０に物品を収納し展示する際に、様々な背景板３８から所望の背景板３８を最内側に位置させて取り付けることにより、趣向の高い収納容器１０とすることができるものである。
【００１７】
次に、図１〜２に加え、図３を用いて台座部１２の説明を行う。台座部１２は、樹脂素材で形成され、上面板１６と枠部２０からなる景品載置部１４と装着部２２とで構成されている。この景品載置部１４は、台座部１２の上側に位置しカバー部３２と嵌合され、装着部２２は、台座部１２の下側に位置し飲料缶と嵌合される。
【００１８】
景品載置部１４の上面板１６は、円形状でカバー部３２の内周径よりも僅かに短い径となる長さに形成され、枠部２０は、その上面板１６の周縁から垂下する環状の枠とされている。
【００１９】
また、この景品載置部１４には、物品を固定する物品取付部１８と、カバー部３２の係合突起３６と係合する係合部３０と、カバー部３２の背景板取付部３４の下端部分と嵌合する切欠部４４が形成されている。この物品取付部１８は、景品載置部１４の上面板１６の略中央に、鉤状に形成された２つの凸部を相反するように向けて形成され、この物品取付部１８となる２つの凸部を物品に形成された穴に挿入して固定させるものである。また、この物品取付部１８の向きは、２つの凸部の軸線が２つの背景板取付部３４の中央を外す方向に向けて形成され、このように物品取付部１８の向きを２つの背景板取付部３４の中央を外す方向とすることにより、背景板３８に対して、物品を傾斜させて固定させることができ、物品を斜め前方から美しくみせる趣向の高いジオラマ模型とすることができるものである。
【００２０】
また、景品載置部１４の係合部３０は、景品載置部１４の側壁となる枠部２０の外周の下端近傍に半円環状に膨出して形成され、カバー部３２を嵌合装着する際にカバー部３２の係合突起３６と嵌合するものである。
【００２１】
そして、景品載置部１４の切欠部４４は、上面板１６の周縁に、カバー部３２の背景板取付部３４の下端部分に応じた位置に、方形状の切欠が形成されている。この切欠部４４によって、カバー部３２は、台座部１２に対して、所定の向きに嵌合装着できるものである。
【００２２】
次に、台座部１２の装着部２２は、景品載置部１４の枠部２０の下端周縁から装着する飲料缶の外径と略同一の外径となるように鍔状に膨出し、その周縁から所定の長さに垂下した環状の枠とされている。
【００２３】
また、台座部１２の装着部２２には、その側面内側に、収納容器１０を様々な飲料缶に装着を可能とする為の第一嵌合部２６と第二嵌合部２８が形成されている。この第一嵌合部２６は、装着部２２の下端内周を半円環状に膨出させて形成されている。そして第二嵌合部２８は、装着部２２の内壁の上方から中央近傍にかけて厚肉方形状に形成され、更に、この中央近傍から下端近傍にかけて半円柱状に膨出して形成されている。この第二嵌合部２８は、装着部２２の内壁に等間隔に四箇所に形成されている。
【００２４】
さらに、装着部２２の側面内側には、装着部２２の上端から下端近傍にかけてリブ２４が所定の間隔で形成されおり、この装着部２２は、収納容器１０を飲料缶に簡単に装着するために、適度に弾性変形させることができるものである。
【００２５】
また図４の如く台座部１２にカバー部３２を嵌合装着させるには、カバー部３２の背景板取付部３４の下端部分と、台座部１２の切欠部４４を合わせて、台座部１２を上側となる景品載置部１４を覆うようにカバー部３２を被せた後、カバー部３２を下方に向けて軽く押圧することによってカバー部３２の係合突起３６と台座部１２の係合部３０が係合されることによって嵌合装着されるものである。
【００２６】
そして、本実施例の収納容器１０は、図４に示したように、飲料缶４０の上部に、物品４２（景品）を収納した収納容器１０を固定し、飲料の販売促進の為の景品を収納する容器として使用されるものである。これにより、飲料購入者は、飲料缶４０の上部に固定された収納容器１０に封入された景品の中から、所望の景品が封入されている飲料缶４０を選んで購入することができるものである。また、飲料購入者は、収納容器１０内に封入された景品で遊んだ後、観賞用として収納容器１０に再び封入させてジオラマ模型の如く展示して楽しむこともできるものである。
【００２７】
そして、収容容器１０に物品４２（景品）を封入する際に、台座部１２に対して、カバー部３２と物品４２（景品）を予め定められた方向に向けて固定できることから、収納容器１０を展示し観賞する際に、背景板３８と物品４２（景品）を常に同じ構図に配置でき、ジオラマ模型の如く展示することができるものである。
【００２８】
以上説明したように、飲料缶の上部に取付可能であって且つ物品を収納することができる収納容器であって、収納容器の内部に収納された景品を目視可能とすると共に、収納容器内に背景画が表示された背景板を備えることによってジオラマ模型の如く展示可能とする趣向の高い収納容器を提供することが可能である。このように、好ましい実施例を挙げて本考案を説明したが、本考案はその実施例に限定されるものではなく、本考案の要旨の範囲内で種々に改変できる。
【００２９】
例えば、実施例において、台座部１２にカバー部３２を嵌合装着させる方法として、カバー部３２に半円環状に膨出した係合突起３６と、台座部１２に同じく半円環状に膨出した係合部３０を形成し、台座部１２にカバー部３２を嵌合装着させるものであるが、これに限定されることは無く、以下に示すように形成することによって、嵌合装着させることもできるものである。
【００３０】
例えば、図示しないが、カバー部の下端内側に、所定の幅に膨出した線条となる係合突起を等間隔の位置に三箇所形成し、その係合突起に対応する係合部として、台座部の景品載置部の側壁となる枠部の外側に、該外壁の中央から上面板と平行に線条に膨出されると共に、該線条の一端から景品載置部の下端まで線条に膨出させ、逆Ｌ字形状に形成することによって、台座部を覆うようにカバー部を被せ、所定の方向にカバー部を回転させることにより、台座部にカバー部を嵌合装着できるものである。
【００３１】
また、この台座部にカバー部を固着させる方法として、台座部の枠部の外周に雄ねじを形成し、カバー部の下端内側に雌ねじを形成することによって、螺合によりに台座部にカバー部を固着させることも可能である。
【図面の簡単な説明】
【００３２】
【図１】本考案の一実施例である収納容器の上面側からの分解斜視図面である。
【図２】本考案の一実施例である収納容器の裏面側からの分解斜視図面である。
【図３】本考案の一実施例である収納容器の台座部の断面図及び上面図である。
【図４】本考案の一実施例である収納容器を飲料缶に装着した状態を示す図である。
【符号の説明】
【００３３】
１０  収納容器
１２  台座部
１４  景品載置部
１６  上面板
１８  物品取付部
２０  枠部
２２  装着部
２４  リブ
２６  第一嵌合部
２８  第二嵌合部
３０  係合部
３２  カバー部
３４  背景板取付部
３６  係合突起
３８  背景板
４０  飲料缶
４２  物品
４４  切欠部
【図１】
0003129318.tif 000003
【図２】
0003129318.tif 000004
【図３】
0003129318.tif 000005
【図４】
0003129318.tif 000006